(57)【要約】      （修正有）【課題】キャンピングランプの収納に便利なキャンピングランプ収納構造を提供する。【解決手段】キャンピングランプ収納構造は、同軸上に嵌設されかつ相対的に摺動可能な第１カバー体１１及び第２カバー体１２を含む円筒形ランプカバーと、第２カバー体１２に設けられた遮蔽ブロック２と、第１カバー体１１に設けられかつ第１カバー体１１と第２カバー体１２が相対的に摺動する時に遮蔽ブロック２に当接して上記相対的な摺動を制限したり後退して遮蔽ブロック２を跨いだりすることができる弾性ブロック３と、を含む。第１カバー体１１と第２カバー体１２の自重は小さく、キャンピングランプの様々な使用シーンにおいて、弾性ブロック３は、第１カバー体１１及び第２カバー体１２の自重によって遮蔽ブロック２を跨ぐことができず、キャンピングランプを使用又は収納状態に保持する。【選択図】図４
0003230138.tif 000002
【実用新案登録請求の範囲】
【請求項１】
同軸上に嵌設されかつ相対的に摺動可能な第１カバー体及び第２カバー体を含む円筒形ランプカバーと、
前記第２カバー体に設けられた遮蔽ブロックと、
前記第１カバー体に設けられかつ前記第１カバー体と第２カバー体が相対的に摺動する時に前記遮蔽ブロックに当接して前記相対的な摺動を制限したり後退して前記遮蔽ブロックを跨いだりすることができる弾性ブロックと、を含むことを特徴とするキャンピングランプ収納構造。
【請求項２】
前記第２カバー体には直線溝が設けられており、前記遮蔽ブロックは前記直線溝内に位置しかつ少なくとも２つの数であることを特徴とする請求項１に記載のキャンピングランプ収納構造。
【請求項３】
前記遮蔽ブロックの断面は台形であることを特徴とする請求項２に記載のキャンピングランプ収納構造。
【請求項４】
前記弾性ブロックには、前記遮蔽ブロックの斜面に係合する当接斜面が設けられていることを特徴とする請求項３に記載のキャンピングランプ収納構造。
【請求項５】
前記弾性ブロックはスプリングにより復帰し、前記スプリング及び弾性ブロックは前記第１カバー体に開設された収容溝内に位置することを特徴とする請求項４に記載のキャンピングランプ収納構造。
【請求項６】
前記弾性ブロックはガイドロッドに接続され、前記スプリングは前記ガイドロッドに嵌設され、前記ガイドロッドは前記収容溝の下端を貫通し、前記ガイドロッドの端部には、前記弾性ブロックの脱落を防止するストッパ突起が設けられていることを特徴とする請求項５に記載のキャンピングランプ収納構造。
【請求項７】
前記円筒形ランプカバーの断面形状は多角形であることを特徴とする請求項１に記載のキャンピングランプ収納構造。
【請求項８】
前記円筒形ランプカバーの両端にそれぞれトップカバーとベースが設けられており、前記第１カバー体は前記トップカバーに設けられており、前記トップカバーはさらに発光アセンブリを固定するために用いられ、前記第２カバー体は前記ベースに設けられていることを特徴とする請求項１に記載のキャンピングランプ収納構造。
【請求項９】
前記ベースには、さらに外側カバー体が設けられており、前記外側カバー体は前記円筒形ランプカバーの外側に嵌設されていることを特徴とする請求項８に記載のキャンピングランプ収納構造。
【請求項１０】
前記外側カバー体の先端には内側に向かうバーリングが設けられており、前記第１カバー体の下端には外側に向かうフランジが設けられており、前記フランジは、前記バーリングに係着して前記第１カバー体と前記外側カバー体とが外れることを防止するために用いられる請求項９に記載のキャンピングランプ収納構造。
【考案の詳細な説明】
【技術分野】
【０００１】
本考案は、照明器具の技術分野に属し、より具体的には、キャンピングランプ収納構造に関する。
【背景技術】
【０００２】
キャンプは短期間のアウトドアライフスタイルであり、視察や製図、あるいは旅行などの目的で野外に臨時のキャンプなどを設けて駐在するのが一般的である。野外キャンプでは、キャンパーの生存、通信、安全などのニーズに応えるために多くの装備を用意する必要がある。キャンピングランプは照明用の可搬式照明器具で、利用者に光源を提供できる。従来のキャンピングランプは体積が大きく、大きな収納スペースを取る必要があり、キャンピング装備を整理して梱包する際、利用者に迷惑をかけていた。
【考案の概要】
【考案が解決しようとする課題】
【０００３】
本考案の目的は、既存のキャンピングランプが収納に不便であるという技術的問題を解決するためのキャンピングランプ収納構造を提供することにある。
【課題を解決するための手段】
【０００４】
上記の目的を実現するために、本考案が採用する技術的解決手段は、
同軸上に嵌設されかつ相対的に摺動可能な第１カバー体及び第２カバー体を含む円筒形ランプカバーと、
前記第２カバー体に設けられた遮蔽ブロックと、
前記第１カバー体に設けられかつ前記第１カバー体と第２カバー体が相対的に摺動する時に前記遮蔽ブロックに当接して前記相対的な摺動を制限したり後退して前記遮蔽ブロックを跨いだりすることができる弾性ブロックと、を含むキャンピングランプ収納構造を提供することである。
【０００５】
本出願の他の実施例として、前記第２カバー体には直線溝が設けられており、前記遮蔽ブロックは前記直線溝内に位置しかつ少なくとも２つの数である。
【０００６】
本出願の他の実施例として、前記遮蔽ブロックの断面は台形である。
【０００７】
本出願の他の実施例として、前記弾性ブロックには、前記遮蔽ブロックの斜面に係合する当接斜面が設けられている。
【０００８】
本出願の他の実施例として、前記弾性ブロックはスプリングにより復帰し、前記スプリング及び弾性ブロックは前記第１カバー体に開設された収容溝内に位置する。
【０００９】
本出願の他の実施例として、前記弾性ブロックはガイドロッドに接続され、前記スプリングは前記ガイドロッドに嵌設され、前記ガイドロッドは前記収容溝の下端を貫通し、前記ガイドロッドの端部には、前記弾性ブロックの脱落を防止するストッパ突起が設けられている。
【００１０】
本出願の他の実施例として、前記円筒形ランプカバーの断面形状は多角形である。
【００１１】
本出願の他の実施例として、前記円筒形ランプカバーの両端にそれぞれトップカバーとベースが設けられており、前記第１カバー体は前記トップカバーに設けられており、前記トップカバーはさらに発光アセンブリを固定するために用いられ、前記第２カバー体は前記ベースに設けられている。
【００１２】
本出願の他の実施例として、前記ベースには、さらに外側カバー体が設けられており、前記外側カバー体は前記円筒形ランプカバーの外側に嵌設されている。
【００１３】
本出願の他の実施例として、前記外側カバー体の先端には内側に向かうバーリングが設けられており、前記第１カバー体の下端には外側に向かうフランジが設けられており、前記フランジは、前記バーリングに係着して前記第１カバー体と前記外側カバー体とが外れることを防止するために用いられる。
【考案の効果】
【００１４】
本考案に係るキャンピングランプ収納構造は、従来技術と比較して、別体式の円筒形ランプカバーが設けられており、円筒形ランプカバーの長さを変更可能とし、これにより、キャンピングランプを収納状態又は使用状態に切り替え、収納状態にあるときには、円筒形ランプカバーの長さが小さくなり、キャンピングランプの体積が縮小し、占有スペースが低減されて収納が容易となり、使用状態にあるときには、第１カバー体を摺動させて持ち上げ、照明範囲を変更することも可能であるが、利用者が照明範囲をそれほど広く必要としなければ、収納状態にあるキャンピングランプを照明してもよいことは無論であり、円筒形ランプカバーの長さ変更は第１カバー体の第２カバー体に対する軸方向の相対的な摺動によって実現され、第１カバー体が第２カバー体に対して摺動するとき、弾性ブロックは人力によってかつ自身の後退によって遮蔽ブロックを跨ぐことができ、これにより、遮蔽ブロックによって位置規制された状態又はフリー状態となり、キャンピングランプの長さを変更する必要がある場合には、弾性ブロックがフリー状態となり、第１カバー体と第２カバー体とが相対的に摺動自在となり、キャンピングランプが使用中や収納状態にあり、長さが変更される必要がなくなった場合、弾性ブロックは遮蔽ブロックによって位置規制された状態にあり、第１カバー体と第２カバー体との間が相対的に摺動不能であり、円筒形ランプカバーの長さが現在の状態で予期せぬ変化をしないことが保証される。
【図面の簡単な説明】
【００１５】
本考案の実施例に係る技術的解決手段をより明確に説明するために、以下、実施例又は従来技術の説明に使用する必要がある図面を簡単に説明するが、明らかなことに、以下の説明における図面は、本考案の一部の実施例に過ぎず、当業者にとっては、創造的な労力を払うことなく、これらの図面に基づいて他の図面を得ることができる。
【図１】図１は、本考案の実施例に係るキャンピングランプ収納構造の立体構造概略図である。
【図２】図２は、本考案の実施例に係るキャンピングランプ収納構造における第２カバー体の立体構造概略図である。
【図３】図３は、図２のＡ部の拡大図である。
【図４】図４は、本考案の実施例に係るキャンピングランプ収納構造における第１カバー体と第２カバー体との接続箇所の断面構造概略図である。
【図５】図５は、本考案の実施例に係るキャンピングランプ収納構造における第１カバー体の底面視の立体構造概略図である。
【図６】図６は、本考案の実施例に係るキャンピングランプ収納構造における弾性ブロックとガイドロッドとの立体構造概略図である。
【図７】図７は、本考案のさらに他の実施例に係るキャンピングランプ収納構造の立体構造概略図である。
【図８】図８は、本考案の実施例に係るキャンピングランプ収納構造が使用状態にある時の外観構造概略図である。
【図９】図９は、本考案の実施例に係るキャンピングランプ収納構造が収納状態にある時の外観構造概略図である。
【図１０】図１０は、本考案のさらに他の実施例に係るキャンピングランプ収納構造における第１カバー体と第２カバー体との接続箇所の断面構造概略図である。
【図１１】図１１は、本考案の実施例に係るキャンピングランプ収納構造における底面視のトップカバーと発光アセンブリの爆発構造概略図である。
【考案を実施するための形態】
【００１６】
本考案が解決しようとする技術的問題、技術的解決手段及び有益な効果をより明確にするために、以下に添付図面及び実施例を参照しながら、本考案を一層詳細に説明する。ここで記載される具体的な実施例は、本考案を説明するためだけのものであり、本考案を限定するものではないことを理解されたい。
【００１７】
図１から図５を参照して、本考案に係るキャンピングランプ収納構造について説明する。キャンピングランプ収納構造は、同軸上に嵌設されかつ相対的に摺動可能な第１カバー体１１及び第２カバー体１２を含む円筒形ランプカバー１と、第２カバー体１２に設けられた遮蔽ブロック２と、第１カバー体１１に設けられかつ第１カバー体１１と第２カバー体１２が相対的に摺動する時に遮蔽ブロック２に当接して上記相対的な摺動を制限したり後退して遮蔽ブロック２を跨いだりすることができる弾性ブロック３と、を含む。
【００１８】
本考案に係るキャンピングランプ収納構造は、従来技術と比較して、別体式の円筒形ランプカバー１が設けられており、円筒形ランプカバー１の長さを変更可能とし、これにより、キャンピングランプを収納状態又は使用状態に切り替え、収納状態にあるときには、円筒形ランプカバー１の長さが小さくなり、キャンピングランプの体積が縮小し、占有スペースが低減されて収納が容易となり、使用状態にあるときには、第１カバー体１１を摺動させて持ち上げ、照明範囲を変更することも可能であるが、利用者が照明範囲をそれほど広く必要としなければ、収納状態にあるキャンピングランプを照明してもよいことは無論であり、円筒形ランプカバー１の長さ変更は第１カバー体１１の第２カバー体１２に対する軸方向の相対的な摺動によって実現され、第１カバー体１１が第２カバー体１２に対して摺動するとき、弾性ブロック３は人力によってかつ自身の後退によって遮蔽ブロック２を跨ぐことができ、これにより、遮蔽ブロック２によって位置規制された状態又はフリー状態となり、キャンピングランプの長さを変更する必要がある場合には、弾性ブロック３がフリー状態となり、第１カバー体１１と第２カバー体１２とが相対的に摺動自在となり、キャンピングランプが使用中や収納状態にあり、長さが変更される必要がなくなった場合、弾性ブロック３は遮蔽ブロック２によって位置規制された状態にあり、第１カバー体１１と第２カバー体１２との間が相対的に摺動不能であり、円筒形ランプカバー１の長さが現在の状態で予期せぬ変化をしないことが保証される。
【００１９】
具体的には、円筒形ランプカバー１の材質は、光を透過可能で一定の機械的強度を有するプラスチックであり、第１カバー体１１が第２カバー体１２に対して摺動する駆動力は、利用者によって手動で与えられ、手動の駆動力が大きく、弾性ブロック３が遮蔽ブロック２を跨ぐようにすることができるのに対し、第１カバー体１１と第２カバー体１２の自重は小さく、キャンピングランプの様々な使用シーンにおいて、弾性ブロック３は、第１カバー体１１及び第２カバー体１２の自重によって遮蔽ブロック２を跨ぐことができず、キャンピングランプを使用又は収納状態に保持する。
【００２０】
本考案に係るキャンピングランプ収納構造の具体的な一実施形態として、図２を参照して、第２カバー体１２には直線溝１２１が設けられており、遮蔽ブロック２は直線溝１２１内に位置しかつ少なくとも２つの数である。
【００２１】
組立完了後、第１カバー体１１の内壁は第２カバー体１２の外壁とほぼ密着し、遮蔽ブロック２は弾性ブロック３と共に直線溝１２１内に位置し、第１カバー体１１には図５に示すようにボス１１１が設けられており、直線溝１２１の側壁は、遮蔽ブロック２及び弾性ブロック３を収容可能であることに加えて、ボス１１１と摺接することができ、第２カバー体１２に対する第１カバー体１１の軸方向移動をガイドし、移動過程がスムーズで、短時間停止しないことを保証する。
【００２２】
図２に示すように、直線溝１２１の両端には、遮蔽ブロック２が１つずつ設けられているとともに、図５に示すように、弾性ブロック３は、第１カバー体１１の下端に設けられており、直線溝１２１の上端に設けられた遮蔽ブロック２は、キャンピングランプの使用状態に対応しており、弾性ブロック３が直線溝１２１の上端の遮蔽ブロック２によって位置規制されている場合、円筒形ランプカバー１は、長尺状態となっており、直線溝１２１の下端に設けられた遮蔽ブロック２は、収納状態に対応しており、弾性ブロック３が直線溝１２１の下端の遮蔽ブロック２によって位置規制されている場合、円筒形ランプカバー１は、短縮状態となっている。
【００２３】
具体的には、直線溝１２１は、その数が複数であり、第２カバー体１２の軸線周りに周方向に均等に分布しており、各直線溝１２１は、第１カバー体１１に１つの弾性ブロック３が対応して設けられており、キャンピングランプが使用状態であっても収納状態であっても、複数の弾性ブロック３が同時に複数の遮蔽ブロック２に当接することができ、第１カバー体１１が第２カバー体１２に対して摺動するのを阻止するのに十分な阻止力を与えることができる。
【００２４】
本考案に係るキャンピングランプ収納構造の具体的な一実施形態として、図３及び図４を参照して、遮蔽ブロック２の断面は台形であり、これにより、弾性ブロック３に当接してこれを位置規制することができ、また、弾性ブロック３の跨ぎを容易にして、円筒形ランプカバー１の長さを変更することができる。
【００２５】
具体的には、図２及び図３に示すように、遮蔽ブロック２は、直線溝１２１内に横方向に配置されており、上向きの上斜面と下向きの下斜面とを有している。弾性ブロック３が直線溝１２１の上端の遮蔽ブロック２の上方に位置するとき、弾性ブロック３は該遮蔽ブロック２の上斜面に当接することができ、このときキャンピングランプが地面に置かれて使用状態にあると、第１カバー体１１の自重では弾性ブロック３が遮蔽ブロック２を下方に跨ぐのに不十分であるため、第１カバー体１１の下方への摺動を制限することができ、キャンピングランプを使用状態に保持する。弾性ブロック３が直線溝１２１の下端の遮蔽ブロック２の下方に位置するとき、このときキャンピングランプが収納状態にあり第１カバー体１１を上方に持ち上げると、弾性ブロック３は、第２カバー体１２の自重では弾性ブロック３が遮蔽ブロック２を上方に跨ぐのに不十分であるため、第２カバー体１２が第１カバー体１１に対して下方へ摺動するのを制限して、キャンピングランプを収納状態に保持することができるので、該遮蔽ブロック２の下斜面に当接することができる。弾性ブロック３が２つの遮蔽ブロック２の間に位置するとき、第１カバー体１１が第２カバー体１２に対して摺動自在となり、円筒形ランプカバー１の長さの変更が可能となる。
【００２６】
本考案に係るキャンピングランプ収納構造の具体的な一実施形態として、図４及び図６を参照して、弾性ブロック３には、遮蔽ブロック２の斜面に係合する当接斜面３１が設けられており、さらに、弾性ブロック３が遮蔽ブロック２に当接して位置規制されることを可能にしつつ、遮蔽ブロック２をスムーズに跨ぐことができることを確保し、円筒形ランプカバー１の長さの変更を実現する。弾性ブロック３が遮蔽ブロック２に当接すると、遮蔽ブロック２の斜面が弾性ブロック３上の当接斜面３１に接触し、軸方向に沿った阻止力を発生させることができ、これにより、第１カバー体１１と第２カバー体１２との相対的な摺動が制限され、弾性ブロック３が遮蔽ブロック２を跨ぐ必要があるときには、遮蔽ブロック２の斜面が弾性ブロック３上の当接斜面３１に接触し、軸線に垂直な径方向の力を発生させることができ、弾性ブロック３を後退駆動して遮蔽ブロック２を円滑に跨ぐことができる。
【００２７】
本考案に係るキャンピングランプ収納構造の具体的な一実施形態として、図４を参照して、弾性ブロック３はスプリング８により復帰し、スプリング８及び弾性ブロック３は第１カバー体１１に開設された収容溝内に位置する。具体的には、上記収容溝は、図５に示すようにボス１１１に開設されており、軸線が第１カバー体１１の径方向に沿って配置された円筒形状を有している。
【００２８】
一般に、スプリング８は常に圧縮状態にあり、弾性ブロック３はスプリング８の作用により第２カバー体１２の外壁を押圧することができ、弾性ブロック３は直線溝１２１を直線的に摺動し、遮蔽ブロック２に遭遇して跨ぐ必要があるときには、弾性ブロック３は、利用者の手動駆動力によって遮蔽ブロック２に接触するが、軸方向の相対的な移動を継続し、遮蔽ブロック２上の斜面が弾性ブロック３上の当接斜面３１に接触し、弾性ブロック３は、遮蔽ブロック２の押圧により後退し、遮蔽ブロック２を跨ぐことができる。遮蔽ブロック２を跨ぐと、弾性ブロック３は、スプリング８により復帰し、第２カバー体１２の外壁を再び押圧する。
【００２９】
本実施例に係る態様によれば、利用者は、円筒形ランプカバー１の切り替えが完了した後、余分な手順により第１カバー体１１をロックすることなく、円筒形ランプカバー１の長さを切り替えると同時に第１カバー体１１の第２カバー体１２に対する摺動を制限することができ、それにより操作手順を減少し、利便性を向上させ、使用体験を最適化する。利用者が第１カバー体１１と第２カバー体１２をそれぞれ両手で把持して逆方向に引っ張ると、円筒形ランプカバー１が引き離され、長さが大きくなり、第１カバー体１１と第２カバー体１２の長さの和にほぼ等しくなり、同時に弾性ブロック３は上端の遮蔽ブロック２を跨ぐことができ、遮蔽ブロック２によって位置規制された状態となり、円筒形ランプカバー１の長さを一定に保つことができ、キャンピングランプを使用状態にする。利用者が第１カバー体１１と第２カバー体１２とを対向させて押すと、円筒形ランプカバー１が圧縮され、長さが小さくなり、第１カバー体１１又は第２カバー体１２の長さにほぼ等しくなり、同時に弾性ブロック３は下端の遮蔽ブロック２を跨ぐことができ、遮蔽ブロック２によって位置規制された状態となり、キャンピングランプを収納状態にする。
【００３０】
なお、キャンピングランプが使用状態にあるとき、弾性ブロック３は上端の遮蔽ブロック２の上方に位置しており、このときキャンピングランプが吊り下げ状態（地面に直接置くのではなく）にあると、第１カバー体１１が空中に吊り下げられ、重力により第２カバー体１２が第１カバー体１１から離脱する傾向にあり、直線溝１２１の上端にストッパブロック１２２を設け、ストッパブロック１２２がボス１１１に接触して位置規制作用を有するようにしてもよく、第１カバー体１１と第２カバー体１２とが外れることを防止する。
【００３１】
本考案に係るキャンピングランプ収納構造の具体的な一実施形態として、図４及び図６を参照して、弾性ブロック３はガイドロッド３２に接続され、スプリング８はガイドロッド３２に嵌設され、ガイドロッド３２は収容溝の下端を貫通し、ガイドロッド３２の端部には、弾性ブロック３の脱落を防止するためのストッパ突起３３が設けられている。
【００３２】
具体的には、図４及び図６を参照して、スプリング８は、弾性ブロック３と収容溝の下端との間に押圧配置されており、ガイドロッド３２の数は２つであり、弾性を有する材料で製造されており、組立時に、同時にガイドロッド３２を中間に押圧すると、２つのガイドロッド３２の尾端間の距離が短くなり、ガイドロッド３２の尾端に設けられたストッパ突起３３が収容溝の下端に開設された開孔を貫通できるようになり、押圧を解消した後、２つのガイドロッド３２は互いに離間しており、ストッパ突起３３が収容溝の下端外側に係着し、弾性ブロック３が収容溝から脱落するのを防止することができる。以上の構造により、弾性ブロック３は、ボス１１１に取り付けることができ、スプリング８により第１カバー体１１の中心に向かう押圧力を有し、第２カバー体１２の外壁を押圧することができるとともに、ストッパ突起３３により、弾性ブロック３及びガイドロッド３２が収容溝から抜け出ることはない。
【００３３】
本考案に係るキャンピングランプ収納構造の具体的な一実施形態として、円筒形ランプカバー１の断面形状は多角形である。円筒形ランプカバー１の断面形状は従来の円形であってもよいが、円筒形ランプカバー１の断面形状を多角形にすることで、キャンピングランプの外形が斬新で、ひらめきがあり、より美感があり、使用体験を最適化することができる。具体的には、円筒形ランプカバー１の断面形状は五角形であり、第１カバー体１１及び第２カバー体１２の断面もいずれも五角形である。
【００３４】
本考案に係るキャンピングランプ収納構造の具体的な一実施形態として、図７を参照して、円筒形ランプカバー１の両端にそれぞれトップカバー５とベース６が設けられており、第１カバー体１１はトップカバー５に設けられており、トップカバー５はさらに発光アセンブリ４を固定するために用いられ、第２カバー体１２はベース６に設けられている。
【００３５】
トップカバー５及びベース６は、いずれも板状である。トップカバー５及びベース６は、円筒形ランプカバー１の内部を相対的に密閉された空間とし、そこに設置された発光アセンブリ４を保護する役割を果たし、野外の複雑な環境において発光アセンブリ４が破壊されることを防止することができる。具体的には、トップカバー５には、マウントと、モバイル電源に接続してキャンピングランプに電力を供給できる電源コネクタとが設けられている。
【００３６】
本考案に係るキャンピングランプ収納構造の具体的な一実施形態として、図７及び図８を参照して、ベース６には、さらに外側カバー体７が設けられており、外側カバー体７は円筒形ランプカバー１の外側に嵌設されている。外側カバー体７は、円筒形ランプカバー１を保護するとともに、直線溝１２１を塞ぐことができ、キャンピングランプ全体の外観をすっきりとした美麗なものとすることができる。
【００３７】
具体的には、第２カバー体１２と外側カバー体７は共にベース６に固設され、三者一体式の下部構造となっており、第１カバー体１１と発光アセンブリ４はトップカバー５に固設され、三者一体式の上部構造となっており、上下２部分の構造で手動による引き離しや圧縮が可能で、キャンピングランプの使用状態と収納状態の切り替えを実現する。
【００３８】
本考案に係るキャンピングランプ収納構造の具体的な一実施形態として、図１０を参照して、外側カバー体７の先端には内側に向かうバーリング７１が設けられており、第１カバー体１１の下端には外側に向かうフランジ１１２が設けられており、フランジ１１２は、バーリング７１に係着して第１カバー体１１と外側カバー体７とが外れることを防止するために用いられる。具体的には、使用状態において、円筒形ランプカバー１が引き離されたときに、第１カバー体１１と外側カバー体７とが外れることを防止し、それにより照明器具の上半分と下半分とが外れることを防止する。収納状態や、円筒形ランプカバー１が短縮状態にあるときには、第１カバー体１１の下端がベース６に受け止められ、第１カバー体１１が第２カバー体１２と外側カバー体７との隙間から抜け出ないようにすることができる。
【００３９】
具体的には、図１１を参照して、本考案に係るキャンピングランプ収納構造は、発光アセンブリ４と組み合わせて使用してキャンピングランプを構成することができる。発光アセンブリ４は、光源板４１及び乱視アセンブリ４２を含み、光源板４１はトップカバー５に設けられかつ円筒形ランプカバー１の軸線に垂直であり、光源板４１上の発光ダイオード４１１は即ちＬＥＤであり、乱視アセンブリ４２はトップカバー５に設けられて光源からの光線を円筒形ランプカバー１内に分散させるために用いられる。発光アセンブリ４は、発光ダイオード４１１の動作中に発生した熱を円筒形ランプカバー１内に分散させ、さらに外部空気に伝達するために用いられる放熱部材と、電源から供給された電流を発光ダイオード４１１にマッチングする電流に変換し、発光ダイオード４１１が正常に動作できることを保証するために用いられる駆動モジュールとをさらに含む。乱視アセンブリ４２は円筒形で、円筒形ランプカバー１と同軸に設置され、乱視アセンブリ４２は、外壁に光源からの光線を反射するための光反射層を設置可能な光反射筒４２１と、光反射筒４２１の外側に嵌設されかつ乱視材質で製造され、光反射筒４２１によって反射された光線を円筒形ランプカバー１内に散乱させるために用いられる乱視筒４２２とを含む。
【００４０】
以上の記載は本考案の好適な実施例に過ぎず、本考案を制限するものではなく、本考案の精神及び原則内でなされたあらゆる変更、同等物による置換及び改良などは、いずれも本考案の保護範囲に含まれるものとする。
【符号の説明】
【００４１】
１    円筒形ランプカバー
１１    第１カバー体
１１１    ボス
１１２    フランジ
１２    第２カバー体
１２１    直線溝
１２２    ストッパブロック
２    遮蔽ブロック
３    弾性ブロック
３１    当接斜面
３２    ガイドロッド
３３    ストッパ突起
４    発光アセンブリ
４１    光源板
４１１    発光ダイオード
４２    乱視アセンブリ
４２１    光反射筒
４２２    乱視筒
５    トップカバー
６    ベース
７    外側カバー体
７１    バーリング
８    スプリング
【図１】
0003230138.tif 000003
【図２】
0003230138.tif 000004
【図３】
0003230138.tif 000005
【図４】
0003230138.tif 000006
【図５】
0003230138.tif 000007
【図６】
0003230138.tif 000008
【図７】
0003230138.tif 000009
【図８】
0003230138.tif 000010
【図９】
0003230138.tif 000011
【図１０】
0003230138.tif 000012
【図１１】
0003230138.tif 000013